(57)【要約】【課題】特別な予定が入っている期間に送信情報が受信された場合に受信を利用者等に知覚させ難くする。【解決手段】受信部１２は、外部から送信された送信情報を受信する。報知部１４は、受信部１２により送信情報が受信された場合に報知する。記憶部１５は、期間で規定された予定を示す予定情報を記憶している。報知阻止部１８は、記憶部１５に記憶されている予定情報から特定される所定期間に受信部１２により送信情報が受信された場合に、報知部１４による報知を阻止する。【選択図】図１
2014135546.tif 000002
【特許請求の範囲】
【請求項１】
外部から送信された送信情報を受信する受信部と、
前記受信部により前記送信情報が受信された場合に報知する報知部と、
期間で規定された予定を示す予定情報を記憶した記憶部と、
前記記憶部に記憶されている前記予定情報から特定される所定期間に前記受信部により前記送信情報が受信された場合に、前記報知部による報知を阻止する報知阻止部と、
を含む情報処理装置。
【請求項２】
所定条件を満足した前記送信情報が前記受信部により前記所定期間に受信された場合に、前記送信情報の送信元へ、前記予定情報により示される予定のうち前記所定期間を含む期間で規定された予定を示す所定予定情報を送信する送信部を更に含む請求項１に記載の情報処理装置。
【請求項３】
前記所定条件を満足し、かつ、前記送信部の機能に相当する機能を有する送信元から送信されたとの条件を満足した前記送信情報が前記受信部により前記所定期間に受信された場合に、前記送信部が前記送信情報の送信元へ前記所定予定情報を送信することを阻止する第１送信阻止部を更に含む請求項２に記載の情報処理装置。
【請求項４】
前記送信部が前記所定期間に送信した前記所定予定情報の送信先と同一の送信元から送信された前記送信情報が前記受信部により前記所定期間に受信された場合に、前記送信部が前記同一の送信元へ再び前記所定予定情報を送信することを阻止する第２送信阻止部を更に含む請求項２又は請求項３に記載の情報処理装置。
【請求項５】
前記送信部は、前記受信部により前記所定期間に前記送信情報が受信されてから、所定の時間範囲内で無作為に決定された時間遅延させて前記所定予定情報を送信する請求項２〜請求項４の何れか１項に記載の情報処理装置。
【請求項６】
前記送信部は、前記所定条件及び所定加重条件を満足した前記送信情報であって前記所定予定情報と共に送信すべき情報を指示する指示情報が付加された前記送信情報が前記受信部により前記所定期間に受信された場合に、前記送信情報の送信元へ、前記指示情報により指示された情報を前記所定予定情報と共に送信する請求項２〜請求項５の何れか１項に記載の情報処理装置。
【請求項７】
前記記憶部は、前記送信情報の送信元のうち特定の送信元へ前記送信部によって前記所定予定情報と共に送信される付加情報を記憶し、
前記記憶部に記憶されている前記付加情報を、与えられた指示に応じて更新する更新部を更に含む請求項２〜請求項６の何れか１項に記載の情報処理装置。
【請求項８】
前記受信部により前記所定期間に前記送信情報が受信され、受信された前記送信情報が例外的な送信情報の場合に、前記報知阻止部が前記報知部による報知を阻止しないように制御する制御部を更に含む請求項１〜請求項７の何れか１項に記載の情報処理装置。
【請求項９】
前記受信部により前記所定期間に受信された前記送信情報の送信元を、前記所定期間が経過した場合に通知する送信元通知部を更に含む請求項１〜請求項８の何れか１項に記載の情報処理装置。
【請求項１０】
前記所定期間が経過した場合に前記所定期間の経過を通知する所定期間経過通知部を更に含む請求項１〜請求項９の何れか１項に記載の情報処理装置。
【請求項１１】
外部から送信された送信情報を受信し、
前記送信情報を受信した場合に報知し、
期間で規定された予定を示す予定情報を記憶した記憶部に記憶されている前記予定情報から特定される所定期間に前記送信情報を受信した場合に、前記報知を阻止することを含む情報処理方法。
【請求項１２】
コンピュータに、
外部から送信された送信情報を受信し、
前記送信情報を受信した場合に報知し、
期間で規定された予定を示す予定情報を記憶した記憶部に記憶されている前記予定情報から特定される所定期間に前記送信情報を受信した場合に、前記報知を阻止することを含む処理を実行させるための情報処理プログラム。
【発明の詳細な説明】
【技術分野】
【０００１】
開示の技術は、情報処理装置、情報処理方法及び情報処理プログラムに関する。
【背景技術】
【０００２】
子供向けの携帯電話機の機能として、学校や学習塾で勉強している時間帯は電話や電子メールをすることができない通信制限機能が知られている。しかし、子供向け携帯電話機の所有者である子供の保護者は、通信制限機能が働いているために子供と連絡が取れない状態が続くと、不安になったり苛立ったりすることがある。
【０００３】
このような問題を解消するために、特定の時間帯に着信があった場合に通信ができない理由や通信ができない時間帯を音声又はテキストで通知する技術が提案されている。これにより、保護者の不安や苛立ちは軽減されることが予想される。
【先行技術文献】
【特許文献】
【０００４】
【特許文献１】特開２００４−１５１５９号公報
【特許文献２】特開２００８−２９４８５５号公報
【発明の概要】
【発明が解決しようとする課題】
【０００５】
しかしながら、子供向けの携帯電話機では、勉強に集中したい時間帯として予定に組み込まれている時間帯であっても、保護者の通信装置から送信された送信情報が受信されると、送信情報を受信した旨が報知されてしまう。そのため、勉強中の子供の集中力が途切れてしまう虞がある。なお、子供に限らず、大人であっても同様の問題が生ずる可能性はある。また、送信情報を受信した旨の報知は、携帯電話機の利用者だけでなく、携帯電話機の近所にいる者にまで影響を与える可能性もある。以下では、説明の便宜上、開示の技術における情報処理装置の利用者及び近所にいる者を「利用者等」と称する。
【０００６】
開示の技術は、１つの側面として、特別な予定が入っている期間に送信情報が受信された場合に受信を利用者等に知覚させ難くすることが目的である。
【課題を解決するための手段】
【０００７】
開示の技術は、受信部が、外部から送信された送信情報を受信する。また、開示の技術は、報知部が、前記受信部により前記送信情報が受信された場合に報知する。また、開示の技術は、記憶部が、期間で規定された予定を示す予定情報を記憶している。そして、開示の技術は、報知阻止部が、前記記憶部に記憶されている前記予定情報から特定される所定期間に前記受信部により前記送信情報が受信された場合に、前記報知部による報知を阻止する。
【発明の効果】
【０００８】
開示の技術は、１つの側面として、特別な予定が入っている期間に送信情報が受信された場合に受信を利用者等に知覚させ難くすることができる、という効果を有する。
【図面の簡単な説明】
【０００９】
【図１】第１及び第２実施形態に係るスマートフォンの要部機能の一例を示す機能ブロック図である。
【図２】第１及び第２実施形態に係るスマートフォンの電気系の構成の一例を示すブロック図である。
【図３】第１及び第２実施形態に係るスマートフォンの記憶部に記憶されているアドレス帳の構成の一例を示す模式図である。
【図４】第１実施形態に係る返信タスクの処理の流れの一例を示すフローチャートである。
【図５】第１実施形態に係る機能別処理の流れの一例を示すフローチャートである。
【図６】第１実施形態に係る着信時処理の流れの一例を示すフローチャートである。
【図７】第１実施形態に係る送信処理の流れの一例を示すフローチャートである。
【図８】第１実施形態に係る通知処理の流れの一例を示すフローチャートである。
【図９】図７に示す送信処理とは異なる送信処理の流れの一例を示すフローチャートである。
【図１０】第１実施形態に係るスマートフォンの記憶部に記憶されている電話帳の構成の一例を示す模式図である。
【図１１】第１実施形態に係るスマートフォンの要部機能の他の一例を示す機能ブロック図である。
【図１２】第２実施形態に係る着信時処理の流れの一例を示すフローチャートである。
【図１３】第２実施形態に係るメッセージ更新処理の流れの一例を示すフローチャートである。
【図１４】第２実施形態に係る通常報知処理の流れの一例を示すフローチャートである。
【発明を実施するための形態】
【００１０】
以下、図面を参照して開示の技術の実施形態の一例を詳細に説明する。なお、以下の説明では、情報処理装置の一例として、多機能型の携帯電話機、いわゆるスマートフォンを例に挙げて説明するが、開示の技術は、これに限定されるものではない。開示の技術は、例えば、携帯型のパーソナル・コンピュータやＰＤＡ(Personal Digital Assistants)、据置型のパーソナル・コンピュータなどの種々の情報処理装置にも適用可能である。
【００１１】
［第１実施形態］
先ず、図１に示すスマートフォン１０の要部機能を説明する。スマートフォン１０は、通話機能及び電子メール機能を備えている。通話機能とは、公衆電話網を介して特定の相手と受話及び送話を行う機能であり、一般的な電話機に搭載されている機能である。電子メール機能とは、電子メールの作成及び電子メールの送受信を行う機能である。
【００１２】
スマートフォン１０は、受信部１２、報知部１４及び報知阻止部１８を含む。受信部１２は、外部から送信された送信情報を受信する。なお、本第１実施形態では、送信情報として電子メールを採用しているが、開示の技術はこれに限定されるものではない。例えば、公衆電話網を利用した電話（以下、「一般電話」という）で通信を行う場合（例えば通話機能を働かせる場合）は、電話信号（例えば通話相手の呼出に用いられる呼出信号）を送信情報とすればよい。また、スマートフォン１０にＩＰ電話機能が搭載されており、ＩＰ電話で通信を行う場合は、パケット（例えば通話相手の呼出に用いられるパケット）を送信情報とすればよい。
【００１３】
報知部１４は、受信部１２により送信情報が受信された場合に報知する。なお、本第１実施形態では、説明の便宜上、送信情報が受信された場合の報知形態の一例として電子メールの着信音を採用しているが、開示の技術はこれに限定されるものではない。報知形態としては、例えば、電子メールの着信時にバイブレーション機能を働かせる形態やスマートフォン１０に備えられているタッチパネル・ディスプレイに電子メールの着信を示す着信画像を表示する形態が挙げられる。この他にも、スマートフォン１０の外面に備えられている発光ダイオードを発光させる形態が例示できる。
【００１４】
記憶部１５は、期間で規定された予定を示す予定情報を記憶している。予定情報としては、例えばスマートフォン１０の利用者の１か月分の予定が分単位で割り振られた時間割表が挙げられる。
【００１５】
報知阻止部１８は、記憶部１５に記憶されている予定情報から特定される所定期間に受信部１２により送信情報が受信された場合に、報知部１４による報知を阻止する。ここで、所定期間とは、例えば時間割表における特別に指定された期間のことである。特別に指定された期間とは、例えばスマートフォン１０の利用者が他者に邪魔されずに何らかの作業（例えば勉強）に集中して取り組むことを希望する期間（例えば２０ＸＸ年１０月２０日１７時〜１９時）を指す。
【００１６】
スマートフォン１０は、送信部１９を含む。送信部１９は、所定条件を満足した送信情報が受信部１２により所定期間に受信された場合に、送信情報の送信元へ、予定情報により示される予定のうち所定期間を含む期間で規定された予定を示す所定予定情報を送信する。ここで、所定条件とは、例えば予め登録された送信元から送信されたという条件を指す。予め登録された送信元とは、例えばスマートフォン１０の利用者が未成年（例えば小学生）の場合、スマートフォン１０の利用者の保護者が所有する通信装置を指す。なお、本第１実施形態では、所定予定情報を電子メールで送信するが、開示の技術はこれに限定されるものではない。例えば、一般電話やＩＰ電話で通信を行う場合は、所定予定情報を音声情報に変換して送信すればよい。
【００１７】
スマートフォン１０は、第１送信阻止部２１及び第２送信阻止部２３を含む。第１送信阻止部２１は、所定条件を満足し、かつ、送信阻止条件を満足した場合に、送信部１９が送信情報の送信元へ所定予定情報を送信することを阻止する。ここで、送信阻止条件とは、例えば送信部１９の機能に相当する機能を有する送信元から送信されたとの条件を満足した送信情報が受信部１２により所定期間に受信されたとの条件を指す。第２送信阻止部２３は、送信部１９が所定期間に送信した所定予定情報の送信先と同一の送信先から送信された送信情報（以下、「再送情報」という）が受信部１２により所定期間に受信された場合に、同一の送信元へ再び所定予定情報を送信することを阻止する。
【００１８】
スマートフォン１０は、制御部２４を含む。制御部２４は、受信部１２により所定期間に送信情報が受信され、かつ、受信された送信情報が例外的な送信情報の場合に、報知阻止部１８が報知部１４による報知を阻止しないように制御する。例外的な送信情報の一例としては、予め登録された送信元（例えば両親の通信装置）や緊急の対応を要する送信元（例えば救命機関や防災機関の通信装置）から送信された送信情報が挙げられる。
【００１９】
スマートフォン１０は、送信元通知部２８を含む。送信元通知部２８は、受信部１２により所定期間に受信された送信情報の送信元を、所定期間を経過した場合に通知する。送信元の通知は、例えばスマートフォン１０に備えられているタッチパネル・ディスプレイに含まれるディスプレイに、送信元を特定する情報を表示させることにより実現される。また、送信元を特定する情報を、スマートフォン１０に備えられているスピーカから音声で出力するようにしてもよいし、スマートフォン１０に接続されている外部表示デバイスにテキスト形式で表示させてもよい。
【００２０】
スマートフォン１０は、所定期間経過通知部３０を含む。所定期間経過通知部３０は、所定期間が経過した場合に通知する。所定期間の経過の通知は、例えばスマートフォン１０に備えられているタッチパネル・ディスプレイに含まれるディスプレイに、所定期間が経過したことを示す文章やアニメーションを表示させることにより実現される。また、所定期間が通知したことを、スマートフォン１０に備えられているスピーカから音声で出力するようにしてもよいし、スマートフォン１０に接続されている外部表示デバイスにテキスト形式で表示させてもよい。
【００２１】
スマートフォン１０は、使用阻止部３２を含む。使用阻止部３２は、所定期間に特定の通信機能以外の通信機能の使用を阻止する。ここで、特定の通信機能としては、例えば送信情報（例外的な送信情報を含む）を受信する通信機能、所定予定情報を送信する通信機能、及び緊急を要する際に連絡する先として予め登録された連絡先と通信する通信機能を少なくとも含む通信機能が挙げられる。
【００２２】
スマートフォン１０は、更新部３４を含む。記憶部１５は、送信部１９によって特定の送信元へ所定予定情報と共に送信される付加情報を記憶しており、更新部３４は、記憶部１５に記憶されている付加情報を、与えられた指示に応じて更新する。
【００２３】
一例として図２に示すように、スマートフォン１０は、コンピュータ４０及び各種の入出力デバイスを含む。受信部１２、報知部１４、報知阻止部１８、送信部１９、第１送信阻止部２１及び第２送信阻止部２３は、例えばコンピュータ４０及び各種の入出力デバイスによって実現することができる。また、制御部２４、送信元通知部２８、所定期間経過通知部３０、使用阻止部３２及び更新部３４は、例えばコンピュータ４０及び各種の入出力デバイスによって実現することができる。
【００２４】
コンピュータ４０は、ＣＰＵ（Central Processing Unit）４２、揮発性のメモリ４４（例えばＲＡＭ（Random Access Memory））及び不揮発性の記憶部４６（例えばＨＤＤ（Hard Disk Drive）やフラッシュメモリなど）を備えている。
【００２５】
記憶部４６には、着信時処理プログラム５０及び通知処理プログラム５１（以下、区別して説明する必要がない場合は単に「プログラム」という）が記憶されている。ＣＰＵ４２は、記憶部４６から着信時処理プログラム５０を読み出してメモリ４４に展開し、着信時処理プログラム５０が有するプロセスを順次実行する。着信時処理プログラム５０は、受信プロセス５０Ａ、報知プロセス５０Ｂ、送信プロセス５０Ｃ、報知阻止プロセス５０Ｄ、送信阻止プロセス５０Ｅ、制御プロセス５０Ｆ、使用阻止プロセス５０Ｊ及び更新プロセス５０Ｋを有する。
【００２６】
ＣＰＵ４２は、受信プロセス５０Ａを実行することで、図１に示す受信部１２として動作する。また、ＣＰＵ４２は、報知プロセス５０Ｂを実行することで、図１に示す報知部１４として動作する。また、ＣＰＵ４２は、送信プロセス５０Ｃを実行することで、図１に示す送信部１９として動作する。また、ＣＰＵ４２は、報知阻止プロセス５０Ｄを実行することで、図１に示す報知阻止部１８として動作する。また、ＣＰＵ４２は、送信阻止プロセス５０Ｅを実行することで、図１に示す第１送信阻止部２１及び第２送信阻止部２３として動作する。また、ＣＰＵ４２は、制御プロセス５０Ｆを実行することで、図１に示す制御部２４として動作する。また、ＣＰＵ４２は、使用阻止プロセス５０Ｊを実行することで、図１に示す使用阻止部３２として動作する。更に、ＣＰＵ４２は、更新プロセス５０Ｋを実行することで、図１に示す更新部３４として動作する。
【００２７】
ＣＰＵ４２は、記憶部４６から通知処理プログラム５１を読み出してメモリ４４に展開し、通知処理プログラム５１が有するプロセスを順次実行する。通知処理プログラム５１は、所定期間経過通知プロセス５１Ａ及び送信元通知プロセス５１Ｂを有する。ＣＰＵ４２は、所定期間経過通知プロセス５１Ａを実行することで、図１に示す所定期間経過通知部３０として動作する。また、ＣＰＵ４２は、送信元通知プロセス５１Ｂを実行することで、図１に示す送信元通知部２８として動作する。
【００２８】
なお、ここではプログラムを記憶部４６から読み出す場合を例示したが、必ずしも最初から記憶部４６に記憶させておく必要はない。例えば、コンピュータ４０に接続されて使用されるＳＳＤ（Solid State Drive）、ＤＶＤディスク、ＩＣカード、光磁気ディスク、ＣＤ−ＲＯＭなどの任意の「可搬型の記憶媒体」に先ずはプログラムを記憶させておいてもよい。そして、コンピュータ４０がこれらの可搬型の記憶媒体からプログラムを取得して実行するようにしてもよい。また、通信回線を介してコンピュータ４０に接続される他のコンピュータ又はサーバ装置等の記憶部にプログラムを記憶させておき、コンピュータ４０が他のコンピュータ又はサーバ装置等からプログラムを取得して実行してもよい。
【００２９】
記憶部４６は、第１メッセージ５４Ａ及び付加情報の一例である第２メッセージ５４Ｂを記憶している。第１メッセージ５４Ａは、例えば１７時〜１９時まで学習塾にて勉強中である旨の文章を示す文章情報である。第２メッセージ５４Ｂは、特定の送信元に対してのみ送信するメッセージであり、例えば特定の相手へ向けた何らかの文章を示す文章情報や装飾文字（例えば絵文字やアニメーション文字）を指す。なお、以下では、説明の便宜上、第１メッセージ５４Ａ及び第２メッセージ５４Ｂを区別して説明する必要がない場合は単に「メッセージ」と称する。
【００３０】
記憶部４６は、予定情報の一例である時間割表５５を記憶している。時間割表５５は、スマートフォン１０の利用者の１か月分の予定が分単位で規定されており、所定期間を指定する指定情報５５Ａが付与されている。本第１実施形態では、指定情報５５Ａにより、例えば２０ＸＸ年１０月２０日１７時〜１９時が指定されており、この期間は、例えば学習塾での勉強が予定されている。
【００３１】
記憶部４６は、アドレス帳５６を記憶している。一例として図３に示すように、アドレス帳５６は、電子メールの送信先を示す名称毎に電子メールの送信先のアドレスと重要度とが割り当てられている。重要度は、Ａ，Ｂ，Ｃの３段階に分けられており、Ａは重要度が最も高い送信先であることを意味し、Ｂは重要度Ａに次いで重要度が高い送信先であることを意味し、Ｃは重要度が最も低いことを意味する。
【００３２】
図２に戻って、スマートフォン１０は、コンピュータ４０と各種の入出力デバイスとを電気的に接続してコンピュータ４０と各種の入出力デバイスとの間の各種情報の送受信を司るインプット・アウトプット・インターフェース（Ｉ／Ｏ）６０を備えている。スマートフォン１０は、Ｉ／Ｏ６０に接続されることでバス４８を介してコンピュータ４０と電気的に接続される入出力デバイスとして、タッチパネル・ディスプレイ６２を備えている。
【００３３】
タッチパネル・ディスプレイ６２は、透過型のタッチパネル６２Ａ及びディスプレイ６２Ｂ（例えば液晶ディスプレイ）を有しており、タッチパネル６２Ａはディスプレイ６２Ｂに重ねられている。タッチパネル６２Ａは、指示体（例えばスマートフォン１０の利用者の指又はタッチペン等）による接触を検知し、タッチパネル６２Ａ上の指示体の接触位置を示す接触位置情報を出力することで指示を受け付ける。ディスプレイ６２Ｂは各種情報を表示する。
【００３４】
スマートフォン１０は、Ｉ／Ｏ６０に接続される入出力デバイスとして、通信部６４、送話部６６、受話部６８、スピーカ７０、ＧＰＳ受信部７２及び外部インタフェース（Ｉ／Ｆ）７４を備えている。
【００３５】
通信部６４は、無線通信網の最寄の基地局との間で無線通信を行うことで、無線通信網に接続された情報処理装置（図示省略）とコンピュータ４０との間の各種情報の送受信を司る。通信部６４は、例えばアンテナ（図示省略）及びＲＦ（Radio Frequency）回路（図示省略）を含む。この場合、通信部６４は、例えば外部の情報処理装置から基地局を経由して無線で送信された信号をアンテナで受信し、受信した信号をＲＦ回路で復調処理し、受信した信号に含まれる情報をコンピュータ４０に供給する。また、通信部６４は、コンピュータ４０から供給された情報を変調処理し、アンテナを介し基地局経由で外部の情報処理装置へ送信する。
【００３６】
送話部６６は、スマートフォン１０の利用者が通話時に発した音声を検出し、検出した音声を示す音声信号をコンピュータ４０に出力する。送話部６６は、例えばマイクロフォン（図示省略）及び信号処理回路（図示省略）を含む。この場合、例えばマイクロフォンで音声を検出し、マイクロフォンで検出された音声を信号処理回路で音声データに変換してコンピュータ４０を介して通信部６４に出力する。なお、ここでは、音声データをコンピュータ４０を介して通信部６４に出力する態様を例示しているが、送話部６６に含まれる信号処理部から通信部６４に直接出力してもよい。
【００３７】
受話部６８は、通信部６４で受信された音声情報により示される音声を出力する。受話部６８は、例えばＤ／Ａ（デジタル／アナログ）変換回路（図示省略）、増幅器（図示省略）及びスピーカ（図示省略）を含む。この場合、例えばコンピュータ４０から供給された音声データに対してＤ／Ａ変換回路がＤ／Ａ変換を行い、Ｄ／Ａ変換後に増幅器で増幅された音声信号をスピーカに出力する。スピーカは、増幅器から入力された音声信号に応じた音声を外部に出力する。なお、ここでは、通信部６４で受信された音声データがコンピュータ４０を介して受話部６８に供給される態様を例示しているが、通信部６４で受信された音声データがコンピュータ４０を介さずに受話部６８に直接供給されてもよい。
【００３８】
スピーカ７０は、コンピュータ４０からの指示に応じて音を発する。ＧＰＳ受信部７２は、コンピュータ４０からの指示に応じてＧＰＳ衛星から電波を受信する。外部Ｉ／Ｆ７４は、外部装置（例えばパーソナル・コンピュータやＵＳＢメモリ）が接続され、外部装置とコンピュータ４０との間の各種情報送受信を司る。
【００３９】
次に本第１実施形態の作用として、スマートフォン１０によって行われる返信タスクの処理の流れの一例について、図４を参照して説明する。なお、返信タスクは、記憶部４６に予め記憶されている返信タスクプログラムがＣＰＵ４２によって読み出されて実行されることにより実現される。
【００４０】
図４に示すように、ステップ８０では、ＣＰＵ４２により、返信タスクが起動され、その後、ステップ８２へ移行する。ステップ８２では、ＣＰＵ４２により、割り込みがあったか否かが判定される。ステップ８２において、割り込みがあった場合は、判定が肯定されてステップ８４へ移行する。ステップ８２において、割り込みがない場合は、判定が否定されてステップ８２の判定が再び行われる。なお、ここでは、「割り込み」の種類の一例として、「着信」及び「スケジュール情報の更新」を採用している。
【００４１】
ステップ８４では、ＣＰＵ４２により、割り込みの種類は着信か否かが判定される。ステップ８４において、割り込みの種類が着信の場合は、判定が肯定されてステップ８６へ移行する。ステップ８４において、割り込みの種類が着信でない場合は、判定が否定されてステップ８８へ移行する。
【００４２】
ステップ８８では、ＣＰＵ４２により、スケジュール情報更新処理が行われ、その後ステップ８２へ移行する。スケジュール情報更新処理とは、例えば予定情報を更新する処理を指す。なお、スケジュール情報更新処理は、特定の権限を有する者のみに対して許可されている処理である。この場合、予定情報は、例えばパスワード入力により許可された者がタッチパネル・ディスプレイ６２を介して行った指示に応じて更新される。
【００４３】
ステップ８６では、一例として図６に示す着信時処理がＣＰＵ４２により行われ、その後、ステップ８２へ移行する。
【００４４】
次に、スマートフォン１０によって行われる機能別処理について、図５を参照して説明する。なお、機能別処理は、記憶部４６に予め記憶されている機能別処理プログラムがＣＰＵ４２によって読み出されて実行されることにより実現される。
【００４５】
図５に示すように、ステップ９０Ａでは、ＣＰＵ４２により、アプリケーションが起動され、その後、ステップ９０Ｂへ移行する。ステップ９０Ｂでは、ＣＰＵ４２により、返信・入力機能選択画面がディスプレイ６２Ｂに表示される。返信・入力機能選択画面とは、返信機能及びメッセージ入力機能の何れかをユーザに選択させるためのインタフェース画面である。
【００４６】
次のステップ９０Ｃでは、ＣＰＵ４２により、返信機能が選択されたか否かが判定される。ステップ９０Ｃにおいて、返信機能が選択されなかった場合は、判定が否定されてステップ９０Ｇへ移行する。ステップ９０Ｃにおいて、返信機能が選択された場合は、判定が肯定されてステップ９０Ｄへ移行する。
【００４７】
ステップ９０Ｄでは、ＣＰＵ４２により、返信モードが設定されたか否かが判定される。なお、返信モードでは、ＣＰＵ４２を送信部１９として動作させることが可能となる処理が行われる。また、返信モードは、例えばユーザがタッチパネル・ディスレプレイ６２を介して返信機能を確定させる指示を行うことによって設定される。ステップ９０Ｄにおいて、返信モードが設定された場合は、判定が肯定されてステップ９０Ｅへ移行する。ステップ９０Ｄにおいて、返信モードが設定されない場合は、判定が否定されてステップ９０Ｆへ移行する。
【００４８】
ステップ９０Ｅでは、ＣＰＵ４２により、返信モードフラグがオンされ、その後、機能別処理を終了する。ステップ９０Ｆでは、ＣＰＵ４２により、返信モードフラグがオフされ、その後、機能別処理を終了する。
【００４９】
ステップ９０Ｇでは、ＣＰＵ４２により、メッセージ入力モードが設定され、その後、ステップ９０Ｈへ移行する。メッセージ入力モードは、例えばユーザがタッチパネル・ディスレプレイ６２を介してメッセージ入力機能を確定させる指示を行うことによって設定される。
【００５０】
ステップ９０Ｈでは、ＣＰＵ４２により、第２メッセージ５４Ｂを更新する指示（以下、「メッセージ更新指示」という）がタッチパネル６２Ａを介して入力されたか否かが判定される。ステップ９０Ｈにおいて、メッセージ更新指示がタッチパネル６２Ａを介して入力された場合は、判定が肯定されてステップ９０Ｉへ移行する。ステップ９０Ｈにおいて、メッセージ更新指示がタッチパネル６２Ａを介して入力されていない場合は、判定が否定されて機能別処理を終了する。
【００５１】
ステップ９０Ｉでは、ＣＰＵ４２により、ステップ９０Ｈで入力されたメッセージ更新指示に従って第２メッセージ５４Ｂが更新され、その後、機能別処理を終了する。
【００５２】
次に、スマートフォン１０によって行われる着信時処理について、図６を参照して説明する。なお、着信時処理は、ＣＰＵ４２が着信時処理プログラム５０を実行することにより行われる。
【００５３】
図６に示す着信時処理では、先ず、ステップ１００において、受信部１２により、返信モードフラグがオンされているか否かが判定される。ステップ１００において、返信モードフラグがオフされている場合は、判定が否定されて着信時処理を終了する。ステップ１００において、返信モードフラグがオンされている場合は、判定が肯定されてステップ１０２へ移行する。
【００５４】
ステップ１０２では、受信部１２により、現在が指定情報５５Ａにより指定された所定期間（特別なスケジュールが入っている期間）か否かが判定される。ステップ１０２において、現在が所定期間でない場合は、判定が否定されて着信時処理を終了する。ステップ１０２において、現在が所定期間の場合は、判定が肯定されてステップ１０８へ移行する。
【００５５】
ステップ１０８では、受信部１２により、送信情報を受信したか否かが判定される。ステップ１０８において、送信情報を受信していない場合は、判定が否定されて着信時処理を終了する。ステップ１０８において、送信情報を受信した場合は、判定が肯定されてステップ１１０へ移行する。
【００５６】
ステップ１１０では、送信部１９により、ステップ１０８で受信部１２により受信された送信情報の送信元が特定され、特定された送信元を示す送信元情報がメモリ４４に記憶される。なお、送信情報の送信元は、例えば送信情報のヘッダに含まれている情報に基づいて特定される。また、メモリ４４に記憶された送信元情報は後述の送信処理及び通知処理でも用いられ、送信処理及び通知処理が終了すると送信部１９によりメモリ４４から消去される。
【００５７】
次のステップ１１２では、制御部２４により、ステップ１０８で受信部１２により受信された送信情報が例外的な送信情報であるか否かが判定される。例外的な送信情報であるか否かは、例えば送信情報のヘッダに含まれている情報に基づいて判定される。ステップ１１２において、ステップ１０８で受信部１２により受信された送信情報が例外的な送信情報である場合は、判定が肯定されてステップ１１４へ移行する。ステップ１１２において、ステップ１０８で受信部１２により受信された送信情報が例外的な送信情報でない場合は、判定が否定されてステップ１１６へ移行する。
【００５８】
ステップ１１４では、報知部１４により、例外的な送信情報が受信部１２により受信された旨がスピーカ７０を介して可聴表示されることで報知され、その後、着信時処理を終了する。
【００５９】
ステップ１１６では、報知阻止部１８により、送信情報が受信部１２により受信された旨の報知が阻止され、その後、ステップ１１８へ移行する。
【００６０】
ステップ１１８では、送信部１９により、ステップ１０８で受信部１２により受信された送信情報が所定条件の一例である主返信条件を満足しているか否かが判定される。ここで、主返信条件とは、例えばステップ１１０でメモリ４４に記憶された送信元情報により示される送信元が図３に示すアドレス帳５６における重要度の“Ａ”又は“Ｂ”に該当する送信元であるという条件を指す。ステップ１１８において、ステップ１０８で受信部１２により受信された送信情報が主返信条件を満足していない場合は、判定が否定されて着信時処理を終了する。ステップ１１８において、ステップ１０８で受信部１２により受信された送信情報が主返信条件を満足している場合は、判定が肯定されてステップ１２０へ移行する。
【００６１】
ステップ１２０では、ステップ１０８で受信部１２により受信された送信情報が、第１送信阻止部２１により第１副返信条件を満足しているか否かが判定され、第２送信阻止部２３により第２副返信条件を満足しているか否かが判定される。ここで、第１副返信条件とは、例えばステップ１０８で受信部１２により受信された送信情報のヘッダに送信機能情報が含まれていないという条件を指す。送信機能情報とは、送信情報の送信元が送信部１９の機能に相当する機能を有すること示す情報を指す。また、第２副返信条件とは、例えば再送情報でないという条件を指す。
【００６２】
ステップ１２０において、第１及び第２副返信条件を満足していない場合は、判定が否定されて着信時処理を終了する。ステップ１２０において、第１及び第２副返信条件を満足している場合は、判定が肯定されてステップ１２１へ移行する。
【００６３】
ステップ１２１では、送信部１９により、一例として図７に示す送信処理が行われる。図７に示す送信処理では、ステップ１５０において、送信部１９により、上記ステップ１０８で受信部１２により受信された送信情報にパスワードが付加されているか否かが判定される。ステップ１５０において、送信情報にパスワードが付加されている場合は、判定が肯定されてステップ１５２へ移行する。ステップ１５０において、送信情報にパスワードが付加されていない場合は、判定が否定されてステップ１５４へ移行する。
【００６４】
ステップ１５２，１５４では、開示の技術に係る所定加重条件を満足しているか否かが判定される。ステップ１５２では、送信部１９により、ステップ１０８で受信部１２により受信された送信情報に付加されているパスワードが予め登録されたパスワードと一致しているか否かが判定される。ステップ１５２において、ステップ１０８で受信部１２により受信された送信情報に付加されているパスワードが予め登録されたパスワードと一致している場合（所定加重条件を満足した場合）は、判定が肯定されてステップ１５６へ移行する。ステップ１５２において、ステップ１０８で受信部１２により受信された送信情報に付加されているパスワードが予め登録されたパスワードと一致していない場合（所定加重条件を満足していない場合）は、判定が否定されてステップ１６０へ移行する。
【００６５】
ステップ１５４では、送信部１９により、ステップ１０８で受信部１２により受信された送信情報に許可済み送信元情報が付加されているか否かが判定される。ここで、許可済み送信元情報とは、所定予定情報と共に送信すべき情報（以下、「参考情報」という）を指示することが許可された送信元を示す情報を指す。ステップ１５４において、ステップ１０８で受信部１２により受信された送信情報に許可済み送信元情報が付加されている場合（所定加重条件を満足した場合）は、判定が肯定されてステップ１５６へ移行する。ステップ１５４において、上記ステップ１０８で受信部１２により受信された送信情報に許可済み送信元情報が付加されていない場合（所定加重条件を満足していない場合）は、ステップ１６０へ移行する。
【００６６】
ステップ１５６では、ステップ１０８で受信部１２により受信された送信情報に指示情報が付加されているか否かが判定される。ここで、指示情報とは、例えば送信情報に付加する参考情報を指示する情報を指す。ステップ１５６において、ステップ１０８で受信部１２により受信された送信情報に指示情報が付加されている場合は、判定が肯定されてステップ１５８へ移行する。ステップ１５６において、ステップ１０８で受信部１２により受信された送信情報に指示情報が付加されていない場合は、判定が否定されてステップ１６０へ移行する。
【００６７】
ステップ１５８では、送信部１９により、指示情報により指示された参考情報及び所定予定情報（例えば時間割表５５のうち指定情報５５Ａにより指定された所定期間を含む期間で規定された部分）が抽出され、その後、ステップ１６２へ移行する。なお、ここでは、指示情報により指示された参考情報の一例としては、時間割表５５のうちの指示情報により指示された部分（所定予定情報と重複しない部分）や、ＧＰＳ受信部７２で受信された電波に基づいて算出された最新の位置情報が挙げられる。
【００６８】
ステップ１６０では、送信部１９により、所定予定情報が抽出され、その後ステップ１６２へ移行する。
【００６９】
ステップ１６２では、送信部１９により、メモリ４４に記憶されている送信元情報により示される送信元の重要度に応じてメッセージが抽出され、その後、ステップ１６４へ移行する。ここで言う「重要度」とは、例えば図３に示すアドレス帳５６が有する重要度を指す。送信部１９は、重要度が“Ａ”の場合に第１メッセージ５４Ａ及び第２メッセージ５４Ｂを抽出し、重要度が“Ｂ”の場合に第１メッセージ５４Ａを抽出する。
【００７０】
ステップ１６４では、送信部１９により、ステップ１０８で送信情報が受信されてから所定時間経過したか否かが判定される。ここで、所定時間とは、例えば所定の時間範囲内で無作為に決定された時間（例えば１〜１０秒の範囲内から無作為に決定された時間）を指す。ステップ１６４において、ステップ１０８で送信情報が受信されてから所定時間経過した場合は、判定が肯定されてステップ１６６へ移行する。ステップ１６４において、ステップ１０８で送信情報が受信されてから所定時間経過していない場合は、判定が否定されてステップ１６４の判定が再び行われる。
【００７１】
ステップ１６６では、ステップ１５８又はステップ１６０及びステップ１６２で抽出された情報が、送信部１９により、メモリ４４に記憶されている送信元情報により示される送信元へ送信され、その後、送信処理を終了する。
【００７２】
次に、スマートフォン１０によって行われる通知処理について、図８を参照して説明する。なお、通知処理は、図６に示す着信時処理におけるステップ１１０が送信部１９によって行われた際にＣＰＵ４２が所定周期で（例えば１秒毎に）通知処理プログラム５１を実行することにより行われる。
【００７３】
図８に示す通知処理では、先ず、ステップ２００において、指定情報５５Ａにより指定された所定期間が経過したか否かが所定期間経過通知部３０により判定される。ステップ２００において、所定期間が経過した場合は、判定が肯定されてステップ２０２へ移行する。ステップ２００において、所定期間が経過していない場合は、通知処理を終了する。
【００７４】
ステップ２０２では、所定期間経過通知部３０により、所定期間が通知した旨がディスプレイ６２Ｂ及びスピーカ７０を介して可視表示及び可聴表示されることで通知され、その後、ステップ２０４へ移行する。
【００７５】
ステップ２０４では、送信元通知部２８により、送信元の通知を要求する指示（送信元通知要求指示）がタッチパネル６２Ａを介して入力されたか否かが判定される。ステップ２０４において、送信元通知要求指示がタッチパネル６２Ａを介して入力された場合は、ステップ２０６へ移行する。ステップ２０４において、送信元通知要求指示がタッチパネル６２Ａを介して入力されていない場合は、通知処理を終了する。
【００７６】
ステップ２０６では、送信元通知部２８により、ステップ１１０でメモリ４４に記憶された送信元情報により示される送信元がディスプレイ６２Ｂを介して可視表示されることで通知され、その後、通知処理を終了する。
【００７７】
以上説明したように、本第１実施形態に係るスマートフォン１０では、指定情報５５Ａにより指定された所定期間に受信部１２により送信情報が受信された場合に、報知部１４による報知が報知阻止部１８によって阻止される。従って、本第１実施形態に係るスマートフォン１０は、特別な予定が入っている期間に送信情報が受信された場合に受信を利用者等に知覚させ難くすることができる。
【００７８】
また、本第１実施形態に係るスマートフォン１０では、主返信条件を満足した送信情報が受信部１２により所定期間に受信された場合に、送信情報の送信元へ送信部１９によって所定予定情報が送信される。従って、本第１実施形態に係るスマートフォン１０は、特定の送信元に対してのみ所定期間を含む期間で規定された予定を把握させることができる。
【００７９】
また、本第１実施形態に係るスマートフォン１０では、主返信条件としてアドレス帳５６における重要度の“Ａ”又は“Ｂ”に該当する送信元であるという条件を満足した送信情報が受信部１２により所定期間に受信された場合に所定予定情報が送信される。従って、本第１実施形態に係るスマートフォン１０は、特に重要視している送信元に対してのみ所定期間を含む期間で規定された予定を把握させることができる。
【００８０】
また、本第１実施形態に係るスマートフォン１０では、送信部１９が所定期間に送信した所定予定情報の送信先と同一の送信元から送信された送信情報が受信部１２により所定期間に受信された場合に、同一の送信元への再送が第２送信阻止部２３により阻止される。従って、本第１実施形態に係るスマートフォン１０は、送信部１９の機能に相当する機能を有する送信元と所定期間が重複している場合に起こり得る所定予定情報の応酬を回避することができる。
【００８１】
また、本第１実施形態に係るスマートフォン１０では、送信部１９の機能に相当する機能を有する送信元から送信された送信情報が受信部１２により所定期間に受信された場合に、第１送信阻止部２１によって所定予定情報の送信が阻止される。従って、本第１実施形態に係るスマートフォン１０は、送信部１９の機能に相当する機能を有する送信元と所定期間が重複している場合に起こり得る所定予定情報の応酬を回避することができる。
【００８２】
また、本第１実施形態に係るスマートフォン１０では、参考情報を指示することが許可された送信元から送信された送信情報に指示情報が付加されていた場合に、指示情報により指示された参考情報が所定予定情報と共に送信部１９によって送信される。従って、本第１実施形態に係るスマートフォン１０は、信頼できる送信元に対して、要求に応じた参考情報を提供することができる。
【００８３】
また、本第１実施形態に係るスマートフォン１０では、パスワード及び指示情報が付加された送信情報が所定期間に受信され、パスワードが正しかった場合に、指示情報により指示された参考情報が所定予定情報と共に送信部１９によって送信される。従って、本第１実施形態に係るスマートフォン１０は、信頼できる送信元に対して、要求に応じた参考情報を提供することができる。
【００８４】
また、本第１実施形態に係るスマートフォン１０では、受信部１２により所定期間に送信情報が受信されてから、無作為に決定された時間遅延されて所定予定情報が送信部１９によって送信される。従って、本第１実施形態に係るスマートフォン１０は、同様の機能を有する複数台の情報処理装置が同一の時間帯に所定予定情報を送信した場合に起こり得る通信回線の渋滞を緩和することに寄与することができる。
【００８５】
また、本第１実施形態に係るスマートフォン１０では、与えられた指示に応じて第２メッセージ５４Ｂが更新される。従って、本第１実施形態に係るスマートフォン１０の利用者は、第２メッセージ５４Ｂを容易に更新することができる。
【００８６】
また、本第１実施形態に係るスマートフォン１０では、受信部１２により所定期間に受信された送信情報が例外的な送信情報の場合に、報知阻止部１８が報知部１４による報知を阻止しないように制御部２４によって制御される。従って、本第１実施形態に係るスマートフォン１０は、所定期間であっても外部で緊急事態が発生している可能性があることをスマートフォン１０の利用者に認識させることができる。
【００８７】
また、本第１実施形態に係るスマートフォン１０では、受信部１２により所定期間に受信された送信情報の送信元が、所定期間が経過した場合に送信元通知部２８によって通知される。従って、本第１実施形態に係るスマートフォン１０の利用者は、所定期間の経過後であっても所定期間に受信された送信情報の送信元を把握することができる。
【００８８】
更に、本第１実施形態に係るスマートフォン１０では、所定期間が経過した場合に所定期間の経過が所定期間経過通知部３０によって通知される。従って、本第１実施形態に係るスマートフォン１０の利用者は、所定期間の経過に気が付き易くなる。
【００８９】
なお、上記第１実施形態では、送信情報及び所定予定情報として電子メールを想定した場合を例示したが、開示の技術はこれに限定されるものではなく、一般電話で送信情報を受信し、一般電話で所定予定情報を送信してもよい。この場合、図４に示す着信時処理のステップ１１０では、送信部１９により、例えば送信情報に含まれる電話番号に基づいて送信情報の送信元が特定され、送信元情報がメモリ４４に記憶される。また、図５に示す送信処理に代えて、図９に示す送信処理が行われる。
【００９０】
図９に示す送信処理では、先ず、ステップ３００において、メモリ４４に記憶されている送信元情報により示される送信元が信頼できる送信元であるか否かが判定される。信頼できる送信元であるか否かは、例えば図１０に示す電話帳６０に基づいて判定される。図１０に示す電話帳６０は、図３に示すアドレス帳５６と比較して、電子メールのアドレスに代えて電話番号を有している点が異なっている。ステップ３００において、メモリ４４に記憶されている送信元情報により示される送信元が電話帳６０における重要度の“Ａ”に該当する送信元の場合は信頼できる送信元と判定され、重要度の“Ｂ”に該当する送信元の場合は信頼できる送信元でないと判定される。
【００９１】
ステップ３００において、メモリ４４に記憶されている送信元情報により示される送信元が信頼できる送信元である場合は、判定が肯定されてステップ３０２へ移行する。ステップ３００において、メモリ４４に記憶されている送信元情報により示される送信元が信頼できる送信元でない場合は、判定が否定されてステップ３０４へ移行する。
【００９２】
ステップ３０２では、送信部１９により、第１参考情報が抽出され、その後、ステップ３０６へ移行する。第１参考情報の一例としては、時間割表５５及びＧＰＳ受信部７２で受信された電波に基づいて算出された最新の位置情報が挙げられる。
【００９３】
ステップ３０４では、送信部１９により、第２参考情報が抽出され、その後、ステップ３０６へ移行する。第２参考情報の一例としては、所定予定情報が挙げられる。
【００９４】
ステップ３０６では、送信部１９により、メモリ４４に記憶されている送信元情報により示される送信元の重要度に応じた所定予定情報が抽出され、その後、ステップ３０８へ移行する。ここで言う「重要度」とは、例えば図１０に示す電話帳６０が有する重要度を指す。重要度が“Ａ”の場合は第１メッセージ５４Ａ及び第２メッセージ５４Ｂが抽出され、重要度が“Ｂ”の場合は所定予定情報として第１メッセージ５４Ａが抽出される。
【００９５】
ステップ３０８では、図７に示すステップ１６４と同様の処理が行われ、その後、ステップ３１０へ移行する。ステップ３１０では、ステップ３０２又はステップ３０４及びステップ３０６で抽出された情報が、送信部１９により、メモリ４４に記憶されている送信元情報により示される送信元へ送信され、その後、送信処理を終了する。
【００９６】
また、上記第１実施形態では、主返信条件、第１副返信条件及び第２副返信条件を満足した場合に送信フラグをオンする場合を例示したが、開示の技術はこれに限定されるものではない。例えば、主返信条件を満足し、且つ、第１副返信条件及び第２副返信条件の少なくとも１つを満足した場合に送信フラグをオンするようにしてもよい。また、図６に示す着信時処理からステップ１２０を除去してもよい。
【００９７】
また、上記第１実施形態では、送信情報の送信元が送信部１９の機能に相当する機能を有するか否かを送信機能情報に基づいて判定する場合を例示したが、開示の技術はこれに限定されるものではない。例えば送信部１９の機能に相当する機能を有する送信元として予め登録された送信元から送信された送信情報であるか否か判定することにより、送信情報の送信元が送信部１９の機能に相当する機能を有するか否かを判定してもよい。
【００９８】
また、上記第１実施形態では、タッチパネル６２Ａを介した指示に基づいて時間割表５５が書き換え可能とされているが、これに限らず、一例として図１１に示すスマートフォン１０Ａにより時間割表５５の書き換えをできないようにしてもよい。図１１に示すスマートフォン１０Ａは、図１に示すスマートフォン１０と比較して、受付部２０及び書換阻止部２２を設けた点が異なっている。受付部２０は、例えばタッチパネル６２Ａで実現されるものであり、外部から指示を受け付ける。書換阻止部２２は、例えばソフトウェア構成で実現されるものであり、受付部２０で受け付けられた指示に基づく予定情報（例えば時間割表５５）の書き換えを阻止する。書換阻止部２２により予定情報の書き換えが阻止されることで、予定情報を管理する者の意図に反して予定情報が書き換えられることを防止することができる。
【００９９】
また、スマートフォン１０は、特別の権限を有する者（例えばスマートフォン１０の利用者が子供の場合は子供の保護者）のみが予定情報を書き換えることを可能にするロック機能を有していてもよい。この場合、ロック機能を働かせることで、特別の権限を有する者以外の者の予定情報へのアクセスを制限するロック状態とし、ロック状態を、例えば非接触型ＩＣカードの認証やパスワードの照合などを利用して解除する。
【０１００】
また、上記第１実施形態では、アドレス帳５６に入力されている重要度Ａ，Ｂに該当する送信元に対して所定予定情報を送信したが、開示の技術はこれに限定されるものではない。例えば、重要度に拘らずアドレス帳５６に入力されているアドレスに一致するアドレスから送信された送信情報の送信元へ送信し、アドレス帳５６に入力されていないアドレスから送信された送信情報の送信元へ送信しないようにしてもよい。
【０１０１】
また、上記第１実施形態では、主返信条件として特定の送信元から送信されたという条件を採用しているが、開示の技術はこれに限定されるものではなく、例えば電子メールであるという条件であってもよい。この条件を満足する場合、アドレス帳５６に入力されている送信元であるか否かに拘らず受信された電子メールの送信元が所定予定情報の送信先となる。
【０１０２】
また、上記第１実施形態では、所定期間が経過した場合に所定期間経過通知部３０が所定期間の経過を通知し、送信元通知部２８が所定期間に受信した送信情報の送信元を通知したが、開示の技術はこれに限定されるものではない。例えば、送信部１９が、所定予定情報を送信した場合に所定期間経過後に所定予定情報を送信した旨をディスプレイ６２Ｂにより可視表示を行うことで通知したり、スピーカ７０で可聴表示を行うことで通知したりしてもよい。
【０１０３】
また、上記第１実施形態では、ソフトウェア構成で図１に示す各部（例えば受信部１２、報知部１４、送信部１９及び報知阻止部１８など）を実現する場合の形態例を挙げて説明したが、開示の技術はこれに限定されない。図１に示す受信部１２、報知部１４、送信部１９及び報知阻止部１８などの少なくとも１つがハードウェア構成で実現されてもよい。この場合、ハードウェア資源として、複数の機能の回路を１つにまとめた集積回路であるＡＳＩＣ（Application Specific Integrated Circuit）やプログラマブルロジックデバイスを利用する例が挙げられる。
【０１０４】
［第２実施形態］
上記第１実施形態では、返信タスク及び機能別処理が行われることによって着信時処理が行われる場合を例示したが、本第２実施形態では、返信タスク及び機能別処理を用いずに着信時処理が行われる場合について説明する。なお、上記第１実施形態で説明した構成要素と同一の構成要素については、同一の符号を付し、説明を省略する。
【０１０５】
先ず、本第２実施形態の作用として、スマートフォン１０によって行われる着信時処理について、図１２を参照して説明する。なお、図１２に示す着信時処理は、ＣＰＵ４２が所定周期で（例えば１秒毎に）着信時処理プログラム５０を実行することにより行われる。スマートフォン１０によって着信時処理が開始されると、スマートフォン１０の利用者はタッチパネル６２Ａを介して指示することで返信モードとメッセージ更新モードとを選択することができる。返信モードでは、ＣＰＵ４２を送信部１９として動作させる処理が行われる。メッセージ更新モードでは、ＣＰＵ４２を更新部３４として動作させる処理が行われる。
【０１０６】
図１２に示す着信時処理では、先ず、ステップ１００Ａにおいて、受信部１２により、返信モードであるか否かが判定される。ステップ１００Ａにおいて返信モードの場合は判定が肯定されてステップ１０２へ移行する。
【０１０７】
ステップ１０２Ａでは、受信部１２により、現在が指定情報５５Ａにより指定された所定期間か否かが判定される。ステップ１０２Ａにおいて、現在が所定期間の場合は、判定が肯定されてステップ１０４Ａへ移行する。
【０１０８】
ステップ１０４Ａでは、使用阻止部３２により、所定の通信機能（例えば前述した特定の通信機能以外の通信機能）の使用が阻止された状態か否かが判定される。ステップ１０４Ａにおいて、所定の通信機能の使用が阻止された状態でない場合は、判定が否定されてステップ１０６Ａへ移行する。ステップ１０４Ａにおいて、所定の通信機能の使用が阻止された状態の場合は、判定が肯定されてステップ１０８Ａへ移行する。
【０１０９】
ステップ１０６Ａでは、使用阻止部３２により、所定の通信機能の使用が阻止される。なお、所定の通信機能の使用が阻止された状態は所定期間が経過すると使用阻止部３２により解除される。
【０１１０】
ステップ１０８Ａでは、受信部１２により、送信情報を受信したか否かが判定される。ステップ１０８Ａにおいて、送信情報を受信していない場合は、判定が否定されて着信時処理を終了する。ステップ１０８Ａにおいて、送信情報を受信した場合は、判定が肯定されてステップ１１０Ａへ移行する。
【０１１１】
ステップ１１０Ａでは、送信部１９により、ステップ１０８Ａで受信部１２により受信された送信情報の送信元が特定され、特定された送信元を示す送信元情報がメモリ４４に記憶される。なお、送信情報の送信元は、例えば送信情報のヘッダに含まれている情報に基づいて特定される。また、メモリ４４に記憶された送信元情報は後述の送信処理及び通知処理でも用いられ、送信処理及び通知処理が終了すると送信部１９によりメモリ４４から消去される。
【０１１２】
次のステップ１１２Ａでは、制御部２４により、ステップ１０８Ａで受信部１２により受信された送信情報が例外的な送信情報であるか否かが判定される。例外的な送信情報であるか否かは、例えば送信情報のヘッダに含まれている情報に基づいて判定される。ステップ１１２Ａにおいて、ステップ１０８Ａで受信部１２により受信された送信情報が例外的な送信情報である場合は、判定が肯定されてステップ１１４Ａへ移行する。ステップ１１２Ａにおいてステップ１０８Ａで受信部１２により受信された送信情報が例外的な送信情報でない場合は、判定が否定されてステップ１１６Ａへ移行する。
【０１１３】
ステップ１１４Ａでは、報知部１４により、例外的な送信情報が受信部１２により受信された旨がスピーカ７０を介して可聴表示されることで報知され、その後、着信時処理を終了する。
【０１１４】
ステップ１１６Ａでは、報知阻止部１８により、送信情報が受信部１２により受信された旨の報知が阻止され、その後、ステップ１１８Ａへ移行する。
【０１１５】
ステップ１１８Ａでは、送信部１９により、ステップ１０８Ａで受信部１２により受信された送信情報が所定条件の一例である主返信条件を満足しているか否かが判定される。ここで、主返信条件とは、例えばステップ１１０Ａでメモリ４４に記憶された送信元情報により示される送信元が図３に示すアドレス帳５６における重要度の“Ａ”又は“Ｂ”に該当する送信元であるという条件を指す。ステップ１１８Ａにおいて、ステップ１０８Ａで受信部１２により受信された送信情報が主返信条件を満足していない場合は、判定が否定されて着信時処理を終了する。ステップ１１８Ａにおいて、ステップ１０８Ａで受信部１２により受信された送信情報が主返信条件を満足している場合は、判定が肯定されてステップ１２０Ａへ移行する。
【０１１６】
ステップ１２０Ａでは、ステップ１０８Ａで受信部１２により受信された送信情報が、第１送信阻止部２１により第１副返信条件を満足しているか否かが判定され、第２送信阻止部２３により第２副返信条件を満足しているか否かが判定される。ここで、第１副返信条件とは、例えばステップ１０８Ａで受信部１２により受信された送信情報のヘッダに送信機能情報が含まれていないという条件を指す。送信機能情報とは、送信情報の送信元が送信部１９の機能に相当する機能を有すること示す情報を指す。また、第２副返信条件とは、例えば再送情報でないという条件を指す。
【０１１７】
ステップ１２０Ａにおいて、第１及び第２副返信条件を満足していない場合は、判定が否定されて着信時処理を終了する。ステップ１２０Ａにおいて、第１及び第２副返信条件を満足している場合は、判定が肯定されてステップ１２２Ａへ移行する。
【０１１８】
ステップ１２２Ａでは、送信部１９により、所定予定情報の送信を指示する送信フラグがオンされ、その後、着信時処理を終了する。このように送信フラグがオンされると、送信部１９により、一例として図７に示す送信処理が行われる。
【０１１９】
一方、ステップ１００Ａにおいて返信モードでない場合（メッセージ更新モードの場合）は判定が否定されてステップ１２４αへ移行する。ステップ１２４αでは、更新部３４により、一例として図１３に示すメッセージ更新処理が行われる。
【０１２０】
図１３に示すメッセージ更新処理では、先ず、ステップ１２４Ａにおいて、更新部３４により、メッセージ更新指示がタッチパネル６２Ａを介して入力されたか否かが判定される。ステップ１２４Ａにおいて、メッセージ更新指示がタッチパネル６２Ａを介して入力された場合は、判定が肯定されてステップ１２４Ｂへ移行する。ステップ１２４Ａにおいて、メッセージ更新指示がタッチパネル６２Ａを介して入力されていない場合は、判定が否定されてメッセージ更新処理を終了する。
【０１２１】
ステップ１２４Ｂでは、更新部３４により、ステップ１２４Ａで入力されたメッセージ更新指示に従って第２メッセージ５４Ｂが更新され、その後、メッセージ更新処理を終了する。
【０１２２】
図１２に戻って、ステップ１０２Ａにおいて、現在が所定期間でない場合は、判定が否定されてステップ１２６αへ移行する。ステップ１２６αでは、報知部１４により、一例として図１４に示す通常報知処理が行われ、その後、着信時処理を終了する。
【０１２３】
図１４に示す通常報知処理では、先ず、ステップ１２６Ａにおいて、受信部１２により、送信情報を受信したか否かが判定される。ステップ１２６Ａにおいて、送信情報を受信していない場合は、判定が否定されて通常報知処理を終了する。ステップ１２６Ａにおいて、送信情報を受信した場合は、判定が肯定されてステップ１２６Ｂへ移行する。
【０１２４】
ステップ１２６Ｂでは、報知部１４により、送信情報が受信部１２により受信された旨がスピーカ７０を介して可聴表示されることで報知され、その後、通常報知処理を終了する。
【０１２５】
なお、上記第２実施形態では、ステップ１０４Ａ，１０６Ａが入っている着信時処理を例示したが、開示の技術はこれに限定されるものではなく、図１２に示す着信時処理からステップ１０４Ａ，１０６Ａを除去してもよい。この場合、所定期間であってもスマートフォン１０に搭載されている全ての通信機能を働かせることが可能となる。
【０１２６】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【０１２７】
以上の実施形態に関し、更に以下の付記を開示する。
【０１２８】
（付記１）
外部から送信された送信情報を受信する受信部と、前記受信部により前記送信情報が受信された場合に報知する報知部と、期間で規定された予定を示す予定情報を記憶した記憶部と、前記記憶部に記憶されている前記予定情報から特定される所定期間に前記受信部により前記送信情報が受信された場合に、前記報知部による報知を阻止する報知阻止部と、を含む情報処理装置。
【０１２９】
（付記２）
所定条件を満足した前記送信情報が前記受信部により前記所定期間に受信された場合に、前記送信情報の送信元へ、前記予定情報により示される予定のうち前記所定期間を含む期間で規定された予定を示す所定予定情報を送信する送信部を更に含む付記１に記載の情報処理装置。
【０１３０】
（付記３）
前記送信部は、前記所定条件として予め登録された送信元から送信されたという条件を満足した前記送信情報が前記受信部により前記所定期間に受信された場合に、前記送信情報の送信元へ前記所定予定情報を送信する付記２に記載の情報処理装置。
【０１３１】
（付記４）
前記所定条件を満足し、かつ、前記送信部の機能に相当する機能を有する送信元から送信されたとの条件を満足した前記送信情報が前記受信部により前記所定期間に受信された場合に、前記送信部が前記送信情報の送信元へ前記所定予定情報を送信することを阻止する第１送信阻止部を更に含む付記２又は付記３に記載の情報処理装置。
【０１３２】
（付記５）
前記第１送信阻止部は、前記所定条件を満足し、かつ、前記送信部の機能に相当する機能を有する送信元から送信されたとの条件として前記送信部の機能に相当する機能を有することを示す送信機能情報が付加されているとの条件を満足した前記送信情報が前記受信部により前記所定期間に受信された場合に、前記送信部が前記送信情報の送信元へ前記所定予定情報を送信することを阻止する付記４に記載の情報処理装置。
【０１３３】
（付記６）
前記送信部が前記所定期間に送信した前記所定予定情報の送信先と同一の送信元から送信された前記送信情報が前記受信部により前記所定期間に受信された場合に、前記送信部が前記同一の送信元へ再び前記所定予定情報を送信することを阻止する第２送信阻止部を更に含む付記２〜付記５の何れか１項に記載の情報処理装置。
【０１３４】
（付記７）
前記送信部は、前記受信部により前記所定期間に前記送信情報が受信されてから、所定の時間範囲内で無作為に決定された時間遅延させて前記所定予定情報を送信する付記２〜付記６の何れか１つに記載の情報処理装置。
【０１３５】
（付記８）
前記送信部は、前記所定条件及び所定加重条件を満足した前記送信情報であって前記所定予定情報と共に送信すべき情報を指示する指示情報が付加された前記送信情報が前記受信部により前記所定期間に受信された場合に、前記送信情報の送信元へ、前記指示情報により指示された情報を前記所定予定情報と共に送信する付記２〜付記７の何れか１つに記載の情報処理装置。
【０１３６】
（付記９）
前記送信部は、前記所定条件及び前記所定加重条件として前記送信情報に付加されているパスワードが予め登録されたパスワードであるという条件を満足した前記送信情報であって前記指示情報が付加された前記送信情報が前記受信部により前記所定期間に受信された場合に、前記送信情報の送信元へ、前記指示情報により指示された情報を前記所定予定情報と共に送信する付記８に記載の情報処理装置。
【０１３７】
（付記１０）
前記記憶部は、前記送信情報の送信元のうち特定の送信元へ前記送信部によって前記所定予定情報と共に送信される付加情報を記憶し、前記記憶部に記憶されている前記付加情報を、与えられた指示に応じて更新する更新部を更に含む付記２〜付記９の何れか１つに記載の情報処理装置。
【０１３８】
（付記１１）
前記受信部により前記所定期間に前記送信情報が受信され、受信された前記送信情報が例外的な送信情報の場合に、前記報知阻止部が前記報知部による報知を阻止しないように制御する制御部を更に含む付記１〜付記１０の何れか１つに記載の情報処理装置。
【０１３９】
（付記１２）
前記受信部により前記所定期間に受信された前記送信情報の送信元を、前記所定期間が経過した場合に通知する送信元通知部を更に含む付記１〜付記８の何れか１つに記載の情報処理装置。
【０１４０】
（付記１３）
前記所定期間が経過した場合に前記所定期間の経過を通知する所定期間経過通知部を更に含む付記１〜付記１２の何れか１つに記載の情報処理装置。
【０１４１】
（付記１４）
前記所定期間に特定の通信機能以外の通信機能の使用を阻止する使用阻止部を更に含む付記１〜付記１３の何れか１つに記載の情報処理装置。
【０１４２】
（付記１５）
指示を受け付ける受付部と、前記受付部で受け付けられた指示に基づく前記予定情報の書き換えを阻止する書換阻止部と、を更に含む付記１〜付記１４の何れか１つに記載の情報処理装置。
【０１４３】
（付記１６）
前記受信部は、前記送信情報として電子メールを受信する付記１〜付記１５の何れか１つに記載の情報処理情報。
【０１４４】
（付記１７）
前記受信部は、前記送信情報として電話信号を受信する付記１〜付記１５の何れか１つに記載の情報処理装置。
【０１４５】
（付記１８）
外部から送信された送信情報を受信し、前記送信情報を受信した場合に報知し、期間で規定された予定を示す予定情報を記憶した記憶部に記憶されている前記予定情報から特定される所定期間に前記送信情報を受信した場合に、前記報知を阻止することを含む情報処理方法。
【０１４６】
（付記１９）
コンピュータに、外部から送信された送信情報を受信し、前記送信情報を受信した場合に報知し、期間で規定された予定を示す予定情報を記憶した記憶部に記憶されている前記予定情報から特定される所定期間に前記送信情報を受信した場合に、前記報知を阻止することを含む処理を実行させるための情報処理プログラム。
【符号の説明】
【０１４７】
１０，１０Ａ  スマートフォン
１２  受信部
１４  報知部
１８  報知阻止部
１９  送信部
２０  受付部
２１  第１送信阻止部
２２  書換阻止部
２３  第２送信阻止部
２４  制御部
２８  送信元通知部
３０  所定期間経過通知部
３２  使用阻止部
３４  更新部
【図１】
2014135546.tif 000003
【図２】
2014135546.tif 000004
【図３】
2014135546.tif 000005
【図４】
2014135546.tif 000006
【図５】
2014135546.tif 000007
【図６】
2014135546.tif 000008
【図７】
2014135546.tif 000009
【図８】
2014135546.tif 000010
【図９】
2014135546.tif 000011
【図１０】
2014135546.tif 000012
【図１１】
2014135546.tif 000013
【図１２】
2014135546.tif 000014
【図１３】
2014135546.tif 000015
【図１４】
2014135546.tif 000016